(57)【要約】【課題】人工肛門や人工膀胱等のストーマから収集袋を通して排出される便の収集袋内における臭気を消臭する消臭剤において、活性炭その他の従来の消臭剤と比較して、便の臭気成分の消臭率を向上させることにより、十分に実用的な消臭能力を有するストーマ用消臭剤を提供する。【解決手段】ストーマ用消臭剤は、有機化合物である木質と、無機化合物であるカオリンとを微細な状態で混合した混合物を真空炭化炉に入れ、真空中において１４００℃の高温で加熱し、炭化させてつくった。木質は自燃することにより高温となって多孔質の炭化物となり、カオリンはその熱によって多孔質のセラミックスとなり、全体構造はセラミックスの微細な孔に微細な炭素粒が入り込んだ顆粒状の複合物となった。【選択図】        なし【特許請求の範囲】
【請求項１】
有機化合物と粘土の混合物を真空中で加熱して炭化させ、多孔質の炭化物と多孔質のセラミックスとの複合物としたことを特徴とする、
ストーマ用消臭剤。
【請求項２】
有機化合物とカオリンの混合物を真空中で加熱して炭化させ、多孔質の炭化物と多孔質のセラミックスとの複合物としたことを特徴とする、
ストーマ用消臭剤。
【請求項３】
有機化合物が木質であることを特徴とする、
請求項１または２記載のストーマ用消臭剤。
【請求項４】
真空中における加熱温度が４００℃から１５００℃の範囲内であることを特徴とする、
請求項１、２または３記載のストーマ用消臭剤。
【請求項５】
粒状体または粉状体であることを特徴とする、
請求項１、２、３または４記載のストーマ用消臭剤。
【発明の詳細な説明】
【０００１】
【発明の属する技術分野】
本発明は、ストーマ用消臭剤に関するものである。更に詳しくは、人工肛門や人工膀胱等のストーマから収集袋を通して排出される便（大便または小便）の収集袋内における臭気を消臭する消臭剤であって、活性炭その他の従来の消臭剤と比較して、便の臭気成分の消臭率を向上させたものに関する。
【０００２】
【従来技術】
例えば、直腸や膀胱等の疾病を治癒させる目的で、患者の身体にストーマ（人工肛門、人工膀胱といわれる排泄口）が造設される場合がある。ストーマは、人体が生来持っている肛門や尿道口と異なり、括約筋等がないために、人体そのものの機能では排泄を制御することができない。
このため、ストーマからは不随意に排泄物が排泄されることになるので、通常は、排泄物を集めてためることができるプラスチック製の収集袋をストーマに取り付けるようにしている。
【０００３】
この収集袋は、防液性（液体を遮断する性質）はもとより防臭性（気体を遮断する性質）を有するもので、内部に集められた排泄物の臭気によって周囲の人に不快感を与えることがないようになっている。しかしながら、実際には臭気の漏れを完全に防ぐことは難しいために、一般的には収集袋の内部に消臭剤を入れて消臭し、臭気そのものの低減を図っている。
従来のこのような消臭剤としては、例えば活性炭、セラミック、イオン交換樹脂、活性アルミナ、ゼオライト等が用いられてきた（特許文献１参照）。
【０００４】
【特許文献１】
特開平１０−７１１６５号公報
【０００５】
【発明が解決しようとする課題】
上記従来の消臭剤には、次のような課題があった。
すなわち、活性炭、セラミック、イオン交換樹脂、活性アルミナ、ゼオライト等の従来の消臭剤では、仕様通りの量を収集袋の中に入れても、便の主な臭気成分であるｐ−クレゾール、インドール、スカトール等の残存率がそれぞれ数十％程度と比較的高く、消臭能力が十分ではなく実用的とはいえなかった。
【０００６】
（本発明の目的）
本発明は、人工肛門や人工膀胱等のストーマから収集袋を通して排出される便の収集袋内における臭気を消臭する消臭剤において、活性炭その他の従来の消臭剤と比較して、便の臭気成分の消臭率を向上させることにより、十分に実用的な消臭能力を有するストーマ用消臭剤を提供することを目的とするものである。
【０００７】
【課題を解決するための手段】
上記目的を達成するために講じた本発明の手段は次のとおりである。
第１の発明にあっては、
有機化合物と粘土の混合物を真空中で加熱して炭化させ、多孔質の炭化物と多孔質のセラミックスとの複合物としたことを特徴とする、
ストーマ用消臭剤である。
【０００８】
第２の発明にあっては、
有機化合物とカオリンの混合物を真空中で加熱して炭化させ、多孔質の炭化物と多孔質のセラミックスとの複合物としたことを特徴とする、
ストーマ用消臭剤である。
【０００９】
第３の発明にあっては、
有機化合物が木質であることを特徴とする、
第１または第２の発明に係るストーマ用消臭剤である。
【００１０】
第４の発明にあっては、
真空中における加熱温度が４００℃から１５００℃の範囲内であることを特徴とする、
第１、第２または第３の発明に係るストーマ用消臭剤である。
【００１１】
第５の発明にあっては、
粒状体または粉状体であることを特徴とする、
第１、第２、第３または第４の発明に係るストーマ用消臭剤である。
【００１２】
カオリン（ｋａｏｌｉｎ）は、カオリナイト（ｋａｏｌｉｎｉｔｅ：Ａｌ２（ＳｉＯ５）（ＯＨ）４）を主成分とするアルミナ質粘土鉱物である。
本明細書にいう「ストーマ」の用語は、「人工肛門及び人工膀胱を含む排泄口」の意味で使用している。
【００１３】
真空中で炭化させるために使用する炭化炉としては、例えば真空加熱式蒸し焼き炭化炉等があるがこれに限定されるものではない。
本明細書にいう「粒状体」の用語は、いわゆる「顆粒」も含む概念で使用している。
【００１４】
なお、本発明に係るストーマ用消臭剤は、汎用の消臭剤として様々なものに利用可能である。例えば、通気可能な袋または容器に詰めて室内や冷蔵庫内用の消臭剤としたり、敷き布団やマットに詰めたり塗布していわゆる健康増進用寝具としたり、マット内部に詰めたり塗布して事務機器周辺に置く電磁波を防ぐための各種マットとしたり、あるいは板材等に詰めたり塗布して各種建材とする等である。
【００１５】
（作用）
有機化合物（例えば木質）と、無機化合物である粘土（例えばカオリン）が例えば微細な状態で混合したものを、例えば真空炭化炉に入れ、真空中において例えば１４００℃の高温で加熱し、炭化を進行させると、有機化合物は自燃することにより高温となって多孔質の炭化物となり、粘土はその熱によって多孔質のセラミックスとなる。
【００１６】
そして、全体構造はセラミックスの微細な孔に微細な炭素粒が入り込んだまたは混入した複合物となる。
この複合物は、単なる多孔質の炭化物（例えば活性炭等）あるいは単なる多孔質のセラミックス等と比較して、より優れたガス吸着性能を有しており、消臭能力が高い。
【００１７】
【発明の実施の形態】
本発明を実施の形態に基づき更に詳細に説明する。
まず、本発明に係るストーマ用消臭剤の製造方法について説明する。
【００１８】
（製造方法Ａ）
有機化合物である木質と、無機化合物である粘土質が薬品と共に微細な状態で混合している製紙産業廃棄物を熱風中において攪拌することによって水分を減少させ、含水率を例えば２０％程度に低下させる。
【００１９】
次に、上記乾燥物を真空炭化炉に入れ、真空中において例えば４００℃〜９００℃の高温で加熱し、炭化を進行させる。このとき発生するガスは公知手段で無害化して放出処理する。
【００２０】
この炭化を進行させる過程において、木質は自燃することにより高温となって炭化し、多孔質の炭化物となる。また、粘土質は木質が自燃することによる熱によって多孔質のセラミックスとなる。
これにより、全体構造はセラミックスの微細な孔に微細な炭素粒が入り込んだ複合物または混入した複合物となる。本実施の形態では、この複合物は顆粒状となった。
【００２１】
（製造方法Ｂ）
有機化合物である木質と、無機化合物であるカオリンとを微細な状態で混合した混合物を、例えば真空炭化炉に入れ、真空中において例えば１４００℃の高温で加熱し、炭化を進行させると、木質は自燃することにより高温となって多孔質の炭化物となり、カオリンはその熱によって多孔質のセラミックスとなる。
そして、全体構造はセラミックスの微細な孔に微細な炭素粒が入り込んだ複合物または混入した複合物となる。本実施の形態では、この複合物は顆粒状となった。
【００２２】
（作  用）
上記した製造方法Ａで製造した本発明に係るストーマ用消臭剤の作用を実験例１をもとに説明する。
【００２３】
（実験例１）
容量１５ｍｌのヘッドスペース用ガラスバイアルを四個用意し、オストメイト４名から採取した便０．５ｇをそれぞれのバイアルに入れ、テフロン（登録商標）加工したシリコンキャップで密封し、検体ＮＯ．１、ＮＯ．２、ＮＯ．３、ＮＯ．４をつくった。
各検体を室温（２５℃）で１５分間放置後、固相マイクロ抽出ファイバ（ＰＤＭＳ／ＤＶＢ）を各検体のバイアル中の気相に挿入して気相中の臭気物質を１５分間ファイバに吸着させ、直ちにＧＣ−ＭＳにより分析した。その結果を各検体ごとに表１〜表４に示した。
【００２４】
次に、バイアルのシリコンキャップを一旦取り出して、素早く本発明に係る消臭剤を０．２ｇ入れ、再び密栓して室温で１５分間放置後に固相マイクロ抽出ファイバを各検体のバイアル中の気相に挿入して１５分間吸着させ、同様にＧＣ−ＭＳにより分析した。その結果を各検体ごとに表１〜表４に示した。
【００２５】
2004230051.tif 000002
【００２６】
【表１】
2004230051.tif 000003
【００２７】
【表２】
2004230051.tif 000004
【００２８】
【表３】
2004230051.tif 000005
【００２９】
【表４】
2004230051.tif 000006
【００３０】
（考察）
消臭剤を入れる前のバイアルからは便の臭気成分としてｐ−クレゾール、インドール、スカトールが検出された。また、一部の検体からはリモネン、エチレンジアミン、硫化メチル、フェノールが検出された。なお、エチレンジアミン、硫化メチル、フェノールについては表に表していない。
消臭剤を入れた場合は、各検体においてそれらの臭気成分は大幅に減少した。従来の活性炭等の消臭剤では、各臭気成分の残存率は、同様の実験で数十％程度といわれていたが、本発明に係る消臭剤では、検体によっては１０％を超えるものもあったが、検体と臭気成分によっては０％を示したものもある等、概ね１０％以下であり、従来の消臭剤にない優れた消臭効果が認められた。
【００３１】
上記機械による測定値の比較の他、人の嗅覚による実験（官能実験）も併せて行った。
上記した製造方法Ｂで製造した本発明に係るストーマ用消臭剤の作用を実験例２をもとに説明する。
【００３２】
（実験例２）
オストメイト（ストーマの保有者）１４名の収集袋（ストーマバッグ）内に本発明に係る消臭剤を１０ｇ直接入れるようにし、混入前と混入後１時間から７時間の間において、袋内部の臭気を看護師とオストメイト本人が４段階（▲１▼臭わない、▲２▼僅かに臭う、▲３▼便臭がする、▲４▼臭い）で評価し、その結果を表５に示した。
【００３３】
【表５】
2004230051.tif 000007
【００３４】
（考察）
消臭剤を入れる前は、本人、看護師共に評価▲１▼、▲２▼は皆無であって、評価▲３▼、▲４▼に集中した。しかしながら、本発明に係る消臭剤を入れた後は、評価▲３▼、▲４▼については▲３▼の１例のみであった。大半は評価▲２▼に集中し、全く臭わない評価▲１▼も本人、看護師合わせて５例あり、官能実験についても大幅に向上した。これにより、本発明に係る消臭剤の消臭効果が認められた。
【００３５】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００３６】
【発明の効果】
本発明に係るストーマ用消臭剤は、臭気成分の残存率が数十％とされる活性炭その他の従来の消臭剤と相違して、検体と臭気成分によっては０％を示したものもある等、概ね１０％以下であり、従来の消臭剤にない優れた消臭効果が認められ、十分に実用的な消臭能力を有する。